(57)【要約】【課題】装着前であっても立体ギャザーの張力の調整量を容易に制御することができる吸収性物品を提供する。【解決手段】トップシート側において、吸収体の長手方向Ｘに沿った両側部に、一対のギャザーシート２０４を備える。また、ギャザーシート２０４の幅方向Ｙ外側の端部は、吸収体の側方でトップシートの上面に固着され、ギャザーシート２０４には、その長手方向Ｘに沿って弾性部材２０４ａが備えられている。さらに、ギャザーシート２０４の長手方向Ｘの少なくともいずれか一方の端部には、トップシートに着脱可能に接着される接着部２４２が形成され、ギャザーシート２０４の接着部２４２が形成されていない部分により立体ギャザーが形成されている。そして、接着部２４２には、複数のメカニカルテープ２４３が長手方向Ｘに沿って所定の間隔で配置されている。【選択図】図２
2015159972.tif 000002
【特許請求の範囲】
【請求項１】
透液性のトップシートと、不透液性のバックシートと、前記トップシートと前記バックシートとの間に介装される吸収体と、を備える吸収性物品であって、
前記トップシート側において、前記吸収体の長手方向に沿った両側部に、一対のギャザーシートを備え、
前記ギャザーシートの幅方向外側の端部は、前記吸収体の側方で前記トップシートの上面に固着され、
前記ギャザーシートには、その長手方向に沿って弾性部材が備えられ、
前記ギャザーシートの長手方向の少なくともいずれか一方の端部には、前記トップシートに着脱可能に接着される接着部が形成され、
前記ギャザーシートの前記接着部が形成されていない部分により立体ギャザーが形成され、
前記接着部には、複数の接着部材が長手方向に沿って所定の間隔で配置されていることを特徴とする吸収性物品。
【請求項２】
前記接着部よりも前記ギャザーシートの長手方向外側には、前記トップシートに固着された固着部が形成されていることを特徴とする請求項１に記載の吸収性物品。
【請求項３】
前記接着部材の幅方向内側の端部には、前記弾性部材が配置されることを特徴とする請求項１又は２に記載の吸収性物品。
【請求項４】
前記弾性部材は、前記ギャザーシートの幅方向内側の端部よりも幅方向外側に配置されていることを特徴とする請求項３に記載の吸収性物品。
【請求項５】
前記複数の接着部材の各々は、識別可能に色分けされていることを特徴とする請求項１〜４のいずれか一項に記載の吸収性物品。
【請求項６】
前記接着部は、着用者の腹側に位置する腹側部側の端部に形成されていることを特徴とする請求項１〜５のいずれか一項に記載の吸収性物品。
【発明の詳細な説明】
【技術分野】
【０００１】
本発明は、吸収性物品に関する。
【背景技術】
【０００２】
吸収性物品である紙おむつは、一般に、液透過性のトップシートと、液不透過性のバックシートと、これら両シートの間に配置された吸収体と、を備えており、着用時に排泄された尿等の排泄物を液透過性のトップシートを介して吸収体に保持し、液不透過性のバックシートにより、排泄物が紙おむつの外に漏れ出すのを防ぐ構造になっている。
【０００３】
また、従来の紙おむつには、横漏れ防止を目的として、ギャザーシートが備えられている。ギャザーシートは、トップシート側において、長手方向に沿った両側部に腹側部から背側部に亘ってそれぞれ備えられ、腹側部及び背側部の長手方向の各端部付近ではトップシートに固着され、それ以外の部分ではトップシートに固着されずに立体ギャザーが形成されている。
この立体ギャザーは、着用者の体型によっては、張力を変更したい場合がある。特に、着用者が痩せ型の場合、立体ギャザーの張力を強くすることが好ましい。
【０００４】
立体ギャザーの張力を変更可能なものとして、長手方向の左右両側に立体ギャザー弾性部材が長手方向に沿って配されている紙おむつにおいて、立体ギャザー弾性部材は、他の部材に固定されていない自由部分を有し、自由部分の少なくとも一端部に自由部分の伸張率を調整可能な止着手段を設けたものが開示されている（例えば、特許文献１参照）。
【先行技術文献】
【特許文献】
【０００５】
【特許文献１】特開２００１−３３３９３１号公報
【発明の概要】
【発明が解決しようとする課題】
【０００６】
しかしながら、上記特許文献１記載の紙おむつは、止着手段を、背側部に設けられた被止着部に止着する位置を調整することで、立体ギャザーの張力を調整する構成であるため、実際に紙おむつを着用者に装着させる際にしか張力を調整することができない。従って、例えば、装着補助者がいつもと異なる場合などに、予め最適な張力に調整した状態で用意しておくことができず、調整の失念や調整ミス等により最適な張力に調整できずに横漏れが発生する虞がある。
【０００７】
本発明は、装着前であっても立体ギャザーの張力の調整量を容易に制御することができる吸収性物品を提供することを目的とする。
【課題を解決するための手段】
【０００８】
請求項１に記載の発明は、上記目的を達成するためになされたものであり、
透液性のトップシートと、不透液性のバックシートと、前記トップシートと前記バックシートとの間に介装される吸収体と、を備える吸収性物品であって、
前記トップシート側において、前記吸収体の長手方向に沿った両側部に、一対のギャザーシートを備え、
前記ギャザーシートの幅方向外側の端部は、前記吸収体の側方で前記トップシートの上面に固着され、
前記ギャザーシートには、その長手方向に沿って弾性部材が備えられ、
前記ギャザーシートの長手方向の少なくともいずれか一方の端部には、前記トップシートに着脱可能に接着される接着部が形成され、
前記ギャザーシートの前記接着部が形成されていない部分により立体ギャザーが形成され、
前記接着部には、複数の接着部材が長手方向に沿って所定の間隔で配置されていることを特徴とする。
【０００９】
請求項２に記載の発明は、請求項１に記載の吸収性物品において、
前記接着部よりも前記ギャザーシートの長手方向外側には、前記トップシートに固着された固着部が形成されていることを特徴とする。
【００１０】
請求項３に記載の発明は、請求項１又は２に記載の吸収性物品において、
前記接着部材の幅方向内側の端部には、前記弾性部材が配置されることを特徴とする。
【００１１】
請求項４に記載の発明は、請求項３に記載の吸収性物品において、
前記弾性部材は、前記ギャザーシートの幅方向内側の端部よりも幅方向外側に配置されていることを特徴とする。
【００１２】
請求項５に記載の発明は、請求項１〜４のいずれか一項に記載の吸収性物品において、
前記複数の接着部材の各々は、識別可能に色分けされていることを特徴とする。
【００１３】
請求項６に記載の発明は、請求項１〜５のいずれか一項に記載の吸収性物品において、
前記接着部は、着用者の腹側に位置する腹側部側の端部に形成されていることを特徴とする。
【発明の効果】
【００１４】
本発明によれば、装着前であっても立体ギャザーの張力の調整量を容易に制御することができる。
【図面の簡単な説明】
【００１５】
【図１】第１実施形態のインナーパッドの展開図である。
【図２】図１のインナーパッドに備えられたギャザーシートの接着部の拡大図である。
【図３】図１のIII−III部の一例を示す断面図である。
【図４】図１のIV−IV部の一例を示す断面図である。
【図５】図１のインナーパッドと併せて使用される紙おむつの展開図である。
【図６】図５の紙おむつを組み立てた状態を示す斜視図である。
【図７】図２の状態から接着部をトップシートから剥離した様子の一例を示す図である。
【図８】第２実施形態の紙おむつの展開図である。
【図９】図８の紙おむつに備えられたギャザーシートの接着部の拡大図である。
【図１０】変形例１のインナーパッドに備えられたギャザーシートの接着部の拡大図である。
【図１１】変形例２のインナーパッドに備えられたギャザーシートの接着部の拡大図である。
【発明を実施するための形態】
【００１６】
以下、本発明の実施の形態を、図面を参照しながら詳細に説明する。
【００１７】
［第１実施形態］
第１実施形態に係る吸収性物品は、例えば、夜用又は長時間用の尿取りパッドであり、おむつやおむつカバー、パンツなどの人体に装着される外装体と併せて着脱・交換自在に使用される。以下の説明においては、吸収性物品としてインナーパッド２００を、外装体として紙おむつ１００（図５及び図６参照）を例示して説明する。
なお、以下の説明では、装着時に人体（着用者）の背側から股下を通って腹側に亘る方向を長手方向Ｘとし、長手方向Ｘに略直交する一の方向を幅方向Ｙとする。
【００１８】
インナーパッド２００は、図１〜図４に示すように、着用者の身体との接触面側（表面側）に設けられる透液性の不織布からなるトップシート２０１と、装着時に身体との接触面と反対側の面側（裏面側）に設けられる不透液性のバックシート２０２と、トップシート２０１とバックシート２０２との間に介装される吸収体２０３と、トップシート２０１側の吸収体２０３の両側部に、インナーパッド２００の長手方向Ｘに沿って備えられるギャザーシート２０４、２０４と、を備えている。
【００１９】
また、インナーパッド２００は、人体の股部を腹側から背側にかけて覆うように、長手方向Ｘの一方の端部に腹側部２０５が形成され、他方の端部に背側部２０６が形成されている。さらに、腹側部２０５と背側部２０６との間に、着用者の股間部を被覆する股下部２０７が形成され、股下部２０７の幅方向Ｙの両縁部には、装着時に着用者の脚周りを囲む一対の脚周り部２０８、２０８が形成されている。なお、腹側部２０５及び背側部２０６の位置関係は便宜上定められたものであり、腹側部２０５を背側部２０６とし、背側部２０６を腹側部２０５として使用することも可能である。
【００２０】
トップシート２０１は、尿などの体液を速やかに透過させる透液性を有する素材から形成され、体液を受けて、吸収体２０３まで輸送する機能を有する。
トップシート２０１は、不織布が好適に用いられ、具体的には、ポリエチレン又はポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものが用いられる。
【００２１】
バックシート２０２は、吸収体２０３を固定する外装体を構成している。また、バックシート２０２は、不透液性を有する素材から形成され、体液などのインナーパッド２００外部への染み出し、漏れ出しを防ぐ機能を有する。
バックシート２０２は、例えば、ポリエチレンフィルムからなるシート材であって、ムレ防止の観点から透湿性を有するシート材であることが好ましい。
なお、バックシート２０２の外側にポリエチレンやポリプロピレン等の不織布を貼り合わせることとしても良く、この場合はインナーパッド２００の外装が布のような風合いになり、肌触りがよくなる。
【００２２】
吸収体２０３は、腹側部２０５の所定位置から股下部２０７を通って背側部２０６の所定位置に亘るように配設されている。また、吸収体２０３は、例えば、当該インナーパッド２００の形状に対応させるように、股下部２０７側が腹側部２０５側及び背側部２０６側に対して幅狭に形成されている。
この吸収体２０３は、インナーパッド２００の使用時に体液としての尿等の水様成分を吸収するものである。具体的には、吸収体２０３は、綿やパルプ等の吸収性素材や、繊維或いはフィルム等のシート状基材と高吸収性ポリマーのような高吸水性樹脂とが組み合わされて形成された吸収体コアが、透液性のクレープ紙、不織布、孔開きシート等の被覆部材により覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
【００２３】
ギャザーシート２０４は、トップシート２０１側において、吸収体２０３の長手方向Ｘに沿った両側部に、腹側部２０５から背側部２０６に亘ってそれぞれ備えられている。
ギャザーシート２０４の幅方向Ｙ外側の端部は、吸収体２０３の側方でバックシート２０２及びトップシート２０１の上面に固着されている。また、ギャザーシート２０４の幅方向Ｙ内側の端部側には、その長手方向Ｘに沿って複数の弾性部材（例えば、糸ゴム等）２０４ａが略平行に備えられ（図２〜図４参照）、ギャザーシート２０４の腹側部２０５側の端部及び背側部２０６側の端部付近ではトップシート２０１に着脱可能に接着されているものの、それ以外の部分ではトップシート２０１に接着されず、断面略「く」字状及び逆「く」字状に立ち上がって着用者の体型に合わせて伸縮自在に変形可能な立体ギャザー２４１が形成されている。以下、ギャザーシート２０４のトップシート２０１に着脱可能に接着される部分を接着部２４２と称する。なお、弾性部材２０４ａは、必ずしも複数である必要はなく、１本のみであってもよい。
ギャザーシート２０４の接着部２４２は、図２〜図４に示すように、複数のメカニカルテープ（接着部材）２４３が長手方向Ｘに沿って所定の間隔で配置され、この複数のメカニカルテープ２４３によりトップシート２０１に接着可能となっている。ここで、所定の間隔とは、図２に示したような等間隔の場合に限定されず、例えば、長手方向Ｘの端部に向かうにつれて間隔が幅広となる場合などの異なる間隔の場合をも含む。なお、初期状態では、図２に示すように、弾性部材２０４ａを長手方向Ｘに広げた状態、即ち、複数のメカニカルテープ２４３が所定の間隔を保った状態で接着されている。複数のメカニカルテープ２４３は、例えば、幅方向Ｙに長い略矩形状に形成され、面ファスナのオス材の係止要素である、鉤状、きのこ状、錨状等の多数の突起が形成されたフック材が設けられている。複数のメカニカルテープ２４３の幅方向Ｙ内側の端部は、図２に示すように、複数の弾性部材２０４ａのうち最も幅方向Ｙ内側に配置された弾性部材２０４ａの位置となるように配置されることが最も好ましい。なお、複数のメカニカルテープ２４３の幅方向Ｙ内側の端部が、最も幅方向Ｙ内側に配置された弾性部材２０４ａよりも幅方向Ｙ内側に配置されることもある。
また、接着部２４２よりもギャザーシート２０４の長手方向Ｘ外側の各端部には、図２に示すように、トップシート２０１に固着された固着部２４４が形成されていることが好ましい。
【００２４】
紙おむつ１００は、図５及び図６に示すように、着用者の身体との接触面側に設けられる透液性の不織布からなるトップシート１と、装着時に身体との接触面と反対側の外部側に設けられる不透液性のバックシート２と、トップシート１とバックシート２との間に介装される吸収体３と、トップシート１側の吸収体３の両側部に、紙おむつ１００の長手方向Ｘに沿って備えられるギャザーシート４、４と、を備えている。
【００２５】
また、紙おむつ１００の長手方向Ｘの一方の端部（図５における下端部）には、着用者の腹側に配置されて腹周りを被覆する腹側部５が形成され、他方の端部（図５における上端部）には、着用者の背側に配置されて背周りを被覆する背側部６が形成され、腹側部５と背側部６との間に、着用者の股間部を被覆する股下部７が形成されている。
【００２６】
なお、トップシート１、バックシート２及び吸収体３は、トップシート２０１、バックシート２０２及び吸収体２０３と同様の構成であるので、その詳細な説明を省略する。
ギャザーシート４は、トップシート１側において、吸収体３の長手方向Ｘに沿った両側部に、腹側部５から背側部６に亘ってそれぞれ備えられている。
ギャザーシート４の幅方向Ｙ外側の部分は、吸収体３の側方でバックシート２及びトップシート１の上面に固着されている。また、ギャザーシート４の幅方向Ｙ内側の端部側には、その長手方向Ｘに沿って複数の弾性部材（例えば、糸ゴム等）４ａが略平行に備えられ（図９参照）、ギャザーシート４の腹側部５側の端部及び背側部６側の端部付近ではトップシート１に固着されているものの、それ以外の部分ではトップシート１に固着されず、断面略「く」字状及び逆「く」字状に立ち上がって着用者の体型に合わせて伸縮自在に変形可能な立体ギャザー４１が形成されている。
【００２７】
腹側部５は、股下部７よりも幅方向Ｙ外側に突出するように形成されている。また、腹側部５の長手方向Ｘ側の端部の外面（着用者の身体と反対側の面）側には、図６に示すように、止着テープ２０を係止する被止着部５１が設けられている。
被止着部５１は、腹側部５の長手方向Ｘ側の端部の外面（着用者の身体と反対側の面）側に設けられ、止着テープ２０に設けられた止着部２１を係止するためのメス材の係止要素を構成している。
具体的には、被止着部５１は、例えば、係止用不織布により構成され、基材シートに止着部２１のフック材と機械的に係合するループ状の繊維であるループ材が配置されて構成されている。なお、係止用不織布としては、例えば、ポリエチレン、ポリプロピレン、ポリエチレンテレフタレート、ナイロンなど、広く知られた汎用性の高い可塑性素材からなる単組成の素材若しくは複合組成の素材を用いることができる。
なお、被止着部５１とバックシート２は、一体として同様の素材から構成しても良いし、被止着部５１のみをバックシート２と異なる素材から構成しても良い。
【００２８】
背側部６は、股下部７よりも幅方向Ｙ外側に突出するように形成されている。背側部６の外面（着用者の身体と反対側の面）側の幅方向Ｙの両端部の各々には、止着テープ２０が設けられている。
また、背側部６には、例えば、糸ゴム等の弾性部材（図示略）が幅方向Ｙに沿って配設され、この弾性部材により平面ギャザー（背モレギャザー）が形成されている。これにより、紙おむつ１００の使用の際に、着用者の胴周りにて、当該紙おむつ１００が伸縮自在となるように構成されている。
【００２９】
股下部７の幅方向Ｙの両縁部の各々には、腹側部５の幅方向Ｙの各端部から股下部７を通り背側部６の幅方向Ｙの各端部に亘って、紙おむつ１００の着用者の脚周りを囲む一対の脚周り部８、８が形成されている。
一対の脚周り部８、８には、例えば、糸ゴム等の複数の弾性部材８ａ、…が当該脚周り部８の湾曲形状に合わせてそれぞれ設けられている。そして、弾性部材８ａにより平面ギャザーが形成され、着用者の脚周りに伸縮自在にフィットし、横漏れを防止するようになっている。
【００３０】
止着テープ２０は、着用者の腹周りに沿うように配設されて、腹側部５の長手方向Ｘ側の端部の外面（着用者の身体と反対側の面）側に設けられた被止着部５１に止着されることで、当該紙おむつ１００が着用者に装着された状態となる（図６参照）。
止着テープ２０は、図５に示すように、背側部６の幅方向Ｙ側の両側端部の各々に幅方向Ｙ外側に延出するように、各端部に２つずつ配設されている。なお、止着テープ２０の数に特に制限はなく、例えば、各端部に１つずつ配設されていてもよい。
止着テープ２０は、例えば、不織布等により形成され、当該止着テープ２０の自由端部は、幅方向Ｙに突出した凸形状に形成されている。そして、止着テープ２０の凸部分の内面、即ち、背側部６の外面側の面に、例えば、所定の接着剤により止着部２１が接着固定されている。
【００３１】
止着部２１は、例えば、略矩形状に形成され、面ファスナのオス材の係止要素である、鉤状、きのこ状、錨状等の多数の突起が形成されたフック材が設けられている。そして、止着部２１は、バックシート２の外面（着用者の身体と反対側の面）における腹側部５の所定位置に形成された被止着部５１に止着される（図６参照）。
従って、止着テープ２０は、止着部２１を介して、被止着部５１に着脱自在に係止可能となっている。
【００３２】
次に、第１実施形態に係るインナーパッド２００の着用者の身体に対する装着方法について説明する。なお、ここでは、痩せ型の着用者にインナーパッド２００を装着する場合を想定して説明する。
まず、インナーパッド２００のバックシート２０２側を、紙おむつ１００のトップシート１側の所定の位置に固着させる。
ここで、痩せ型の着用者にインナーパッド２００を装着する場合、立体ギャザー２４１の張力を強くして、横漏れを防止する必要がある。
従って、まず、ギャザーシート２０４の接着部２４２をトップシート２０１から剥離する。剥離された接着部２４２は、複数の弾性部材２０４ａにより長手方向Ｘに収縮する（図７参照）。そして、収縮した接着部２４２を再度トップシート２０１に接着する。これにより、立体ギャザー２４１が接着部２４２側に引っ張られて張力が強くなる。なお、ここでは、接着部２４２に配置されたメカニカルテープ２４３が全て剥離された場合を例示して説明したが、メカニカルテープ２４３を長手方向Ｘ内側から剥離する数により、立体ギャザー２４１の張力の調整量を制御することもできる。具体的には、メカニカルテープ２４３を長手方向Ｘ内側から剥離する数が多ければ多いほど、立体ギャザー２４１の張力を強くすることができる。
次に、インナーパッド２００が固着された紙おむつ１００の背側部６を着用者の身体の背側に当接させるようにして、当該紙おむつ１００を着用者の身体の下側に載置する。
次に、股下部７及び腹側部５の中心を着用者の身体の中心に合わせながら当該腹側部５を着用者の身体の手前側に配置させる。
最後に、止着テープ２０を着用者の身体の腹周りに沿って配設し、止着部２１を腹側部５の長手方向Ｘ側の端部の外面側に設けられた被止着部５１に止着させる。これにより、立体ギャザー２４１の張力が強くなった状態のインナーパッド２００を着用者の身体に装着することができる。
なお、ここでは、インナーパッド２００の着用前に立体ギャザー２４１の張力を強くする場合を例示して説明したが、接着部２４２をトップシート２０１から着脱可能な状態、即ち、止着テープ２０による止着状態から解放されている状態であればいつでも張力を調整できるので、インナーパッド２００の着用時又は着用後に張力を強くすることも可能である。
【００３３】
以上のように、第１実施形態に係るインナーパッド２００は、トップシート２０１側において、吸収体２０３の長手方向Ｘに沿った両側部に、一対のギャザーシート２０４を備える。また、ギャザーシート２０４の幅方向Ｙ外側の端部は、吸収体２０３の側方でトップシート２０１の上面に固着され、ギャザーシート２０４には、その長手方向Ｘに沿って弾性部材２０４ａが備えられている。さらに、ギャザーシート２０４の長手方向Ｘの少なくともいずれか一方の端部には、トップシート２０１に着脱可能に接着される接着部２４２が形成され、ギャザーシート２０４の接着部２４２が形成されていない部分により立体ギャザー２４１が形成されている。そして、接着部２４２には、複数のメカニカルテープ２４３（接着部材）が長手方向Ｘに沿って所定の間隔で配置されている。
従って、第１実施形態に係るインナーパッド２００によれば、実際に着用者に装着させるときだけでなく、着用者に装着させる前であっても立体ギャザー２４１の張力を調整することができるので、装着前であっても立体ギャザー２４１の張力の調整量を容易に制御することができる。また、立体ギャザー２４１の張力を強くすることができるので、立体ギャザー２４１を立ち易くすることができる。
【００３４】
また、第１実施形態に係るインナーパッド２００によれば、接着部２４２よりもギャザーシート２０４の長手方向Ｘ外側には、トップシート２０１に固着された固着部２４４が形成されているので、接着部２４２をトップシート２０１から剥離した状態でも、ギャザーシート２０４の長手方向Ｘ外側の各端部が長手方向Ｘ内側に引っ張られることがなく、ギャザーシート２０４の位置ずれやしわの形成を抑制することができる。
【００３５】
また、第１実施形態に係るインナーパッド２００によれば、メカニカルテープ２４３の幅方向Ｙ内側の端部は、弾性部材２０４ａのうち最も幅方向Ｙ内側に配置された弾性部材２０４ａの位置となるように配置されるので、初期状態において接着部２４２を、弾性部材２０４ａを伸張させた状態でトップシート２０１に接着することができる。従って、接着部２４２をトップシート２０１から剥離した際に、弾性部材２０４ａの収縮量を十分に確保することができるので、立体ギャザー２４１の張力を効率よく調整することができる。
【００３６】
［第２実施形態］
第２実施形態に係る吸収性物品は、止着テープ２０を所定位置に止着することで着用者に装着され、装着状態にて着用者の股下部７を腹側から背側にかけて覆うように形成される止着式の紙おむつ１００Ａである。
なお、紙おむつ１００Ａは、第１実施形態の紙おむつ１００と比べ、ギャザーシート４Ａの構造のみが異なっている。従って、説明の簡略化のため、第１実施形態の紙おむつ１００と同様の構成については、同一の符号を付して、その詳細な説明を省略する。
【００３７】
紙おむつ１００Ａのギャザーシート４Ａは、図８及び図９に示すように、第１実施形態に係るインナーパッド２００のギャザーシート２０４と同様の構成を備えている。
即ち、ギャザーシート４Ａの幅方向Ｙ内側の端部側には、その長手方向Ｘに沿って複数の弾性部材（例えば、糸ゴム等）４ａが略平行に備えられ、ギャザーシート４Ａの腹側部５側の端部及び背側部６側の端部付近ではトップシート１に着脱可能に接着されているものの、それ以外の部分ではトップシート１に接着されず、断面略「く」字状及び逆「く」字状に立ち上がって着用者の体型に合わせて伸縮自在に変形可能な立体ギャザー４１が形成されている。以下、ギャザーシート４Ａのトップシート１に着脱可能に接着される部分を接着部４２と称する。
ギャザーシート４Ａの接着部４２は、複数のメカニカルテープ（接着部材）４３が長手方向Ｘに沿って所定の間隔で配置され、この複数のメカニカルテープ４３によりトップシート１に接着可能となっている。複数のメカニカルテープ４３の幅方向Ｙ内側の端部は、図９に示すように、複数の弾性部材４ａのうち最も幅方向Ｙ内側に配置された弾性部材４ａの位置となるように配置されることが最も好ましいが、最も幅方向Ｙ内側に配置された弾性部材２０４ａよりも幅方向Ｙ内側に配置されることもある。
また、接着部４２よりもギャザーシート４Ａの長手方向Ｘ外側の各端部には、図９に示すように、トップシート１に固着された固着部４４が形成されていることが好ましい。
【００３８】
第２実施形態に係る紙おむつ１００Ａの装着方法は、インナーパッド２００を紙おむつ１００の所定の位置に固着させる動作が不要である点を除き、第１実施形態に係る装着方法と同様であるので、説明を省略する。
以上のように、第２実施形態に係る紙おむつ１００Ａによれば、第１実施形態に係るインナーパッド２００と同様の効果を得ることができる。
なお、第１実施形態と第２実施形態とを組み合わせることも可能である。
【００３９】
以上、本発明に係る実施形態に基づいて具体的に説明したが、本発明は上記実施形態に限定されるものではなく、その要旨を逸脱しない範囲で変更可能である。
【００４０】
（変形例１）
例えば、図１０に示す例では、第１実施形態のギャザーシート２０４と比べ、複数の弾性部材２０４ａ及び複数のメカニカルテープ２４３の配置、並びに複数のメカニカルテープ２４３の大きさが異なっている。なお、説明の簡略化のため、第１実施形態と同様の構成については、同一の符号を付して、その詳細な説明を省略する。
具体的には、変形例１に係るギャザーシート２０４Ａの接着部２４２Ａに備えられた複数の弾性部材２０４ｂは、第１実施形態の複数の弾性部材２０４ａよりも、即ち、幅方向Ｙ内側の端部よりも、ギャザーシート２０４Ａの幅方向Ｙ外側に配置されている。また、変形例１に係るギャザーシート２０４Ａの接着部２４２Ａに備えられた複数のメカニカルテープ２４３Ａの幅方向Ｙ内側の端部は、複数の弾性部材２０４ｂのうち最も幅方向Ｙ内側に配置された弾性部材２０４ｂの位置となるように配置される。即ち、メカニカルテープ２４３Ａの幅方向Ｙの長さは、第１実施形態のメカニカルテープ２４３の幅方向Ｙの長さよりも短くなるように形成されている。
なお、変形例１を、第２実施形態に係る紙おむつ１００Ａのギャザーシート４Ａに適用することも当然に可能である。
【００４１】
以上のように、変形例１に係るインナーパッド２００によれば、弾性部材２０４ｂ及び複数のメカニカルテープ２４３Ａは、ギャザーシート２０４Ａの幅方向Ｙ内側の端部よりも幅方向Ｙ外側に配置されているので、メカニカルテープ２４３Ａが幅方向Ｙ内側の端部からはみ出すことがなくなり、着用者の肌に接触することによる不快感を防止することができる。また、ギャザーシート２０４Ａの幅方向Ｙ内側の端部をメカニカルテープ２４３Ａ側に折り返すことで、より確実にメカニカルテープ２４３Ａのはみ出しを防止することができる。
【００４２】
（変形例２）
また、図１１に示す例では、第１実施形態のギャザーシート２０４と比べ、複数のメカニカルテープ２４３の各々が識別可能に形成されている点が異なっている。なお、説明の簡略化のため、第１実施形態と同様の構成については、同一の符号を付して、その詳細な説明を省略する。
具体的には、変形例２に係るギャザーシート２０４Ｂの接着部２４２Ｂに備えられた複数のメカニカルテープ２４３Ｂの各々は、識別可能に色分けされている。
なお、変形例２を、第２実施形態に係る紙おむつ１００Ａのギャザーシート４Ａに適用することも当然に可能である。
【００４３】
以上のように、変形例２に係るインナーパッド２００によれば、複数のメカニカルテープ２４３Ｂの各々は、識別可能に色分けされているので、メカニカルテープ２４３を長手方向Ｘ内側から剥離する数で立体ギャザー２４１のテンションを微調整する際に、どの位置まで剥離するかを視覚的に認識し易くなり、容易に微調整を行うことができる。
【００４４】
（その他の変形例）
また、上記第１実施形態では、ギャザーシート２０４の接着部２４２が、ギャザーシート２０４の長手方向Ｘ側の両端部、即ち、ギャザーシート２０４の腹側部２０５側の端部及び背側部２０６側の端部に形成されているが、これに限定されるものではない。即ち、ギャザーシート２０４の接着部２４２は、ギャザーシート２０４の長手方向Ｘの少なくともいずれか一方の端部に形成されていればよく、この場合、腹側部２０５側の端部に形成されることがより好ましい。接着部２４２を腹側部２０５側の端部に形成することで、インナーパッド２００の着用後であっても、止着テープ２０による止着状態を解放するだけで、容易に接着部２４２における調整作業を行うことができる。
【００４５】
また、上記第１実施形態では、複数のメカニカルテープ２４３に関し、全て同一の接着力のものを使用しているが、これに限定されるものではない。例えば、複数のメカニカルテープ２４３の接着力を各々異ならせるようにしてもよい。この場合、長手方向Ｘ内側の端部に向かうにつれて接着力を弱くすることが好ましい。
これにより、長手方向Ｘ内側の端部側に配置されたメカニカルテープ２４３ほど剥離し易くなるので、メカニカルテープ２４３を長手方向Ｘ内側から剥離する数で立体ギャザー２４１のテンションを微調整する際に、容易に剥離作業を行うことができる。
【００４６】
また、上記第１実施形態では、メカニカルテープ２４３の幅方向Ｙ内側の端部を、複数の弾性部材２０４ａのうち最も幅方向Ｙ内側に配置された弾性部材２０４ａの位置となるように配置しているが、これに限定されるものではなく、例えば、メカニカルテープ２４３の幅方向Ｙ内側の端部を、複数の弾性部材２０４ａよりも幅方向Ｙ外側に配置することも可能である。
また、上記第１実施形態では、メカニカルテープ２４３の形状として、幅方向Ｙに長い略矩形状のものを例示して説明しているが、これに限定されるものではない。即ち、メカニカルテープ２４３の形状は、長手方向Ｘに沿って間欠的に配置可能であればいかなる形状であってもよく、例えば、円形、楕円形、方形、方形の角を丸めた形状などの形状とすることもできる。
なお、以上の変形例は全て、第２実施形態に係る紙おむつ１００Ａのギャザーシート４Ａに適用することも可能である。
【００４７】
また、上記第１及び第２実施形態では、止着テープ２０を先細りの凸形状に形成するようにしたが、当該止着テープ２０の形状は一例であってこれに限られるものではなく、適宜任意に変更可能である。
【００４８】
その他、インナーパッド２００及び紙おむつ１００、１００Ａの細部構成に関しても、本発明の趣旨を逸脱することのない範囲で適宜変更可能である。
【符号の説明】
【００４９】
２００  インナーパッド（吸収性物品）
２０１  トップシート
２０２  バックシート
２０３  吸収体
２０４、２０４Ａ、２０４Ｂ  ギャザーシート
２０４ａ、２０４ｂ  弾性部材
２４１  立体ギャザー
２４２、２４２Ａ、２４２Ｂ  接着部
２４３、２４３Ａ、２４３Ｂ  メカニカルテープ（接着部材）
２４４  固着部
２０５  腹側部
１００  紙おむつ
１００Ａ  紙おむつ（吸収性物品）
１  トップシート
２  バックシート
３  吸収体
４、４Ａ  ギャザーシート
４ａ  弾性部材
４１  立体ギャザー
４２  接着部
４３  メカニカルテープ（接着部材）
４４  固着部
５  腹側部
【図１】
2015159972.tif 000003
【図２】
2015159972.tif 000004
【図３】
2015159972.tif 000005
【図４】
2015159972.tif 000006
【図５】
2015159972.tif 000007
【図６】
2015159972.tif 000008
【図７】
2015159972.tif 000009
【図８】
2015159972.tif 000010
【図９】
2015159972.tif 000011
【図１０】
2015159972.tif 000012
【図１１】
2015159972.tif 000013